(57)【要約】【課題】通信線に、どのような順番でどのような照明器具が接続されているかを自動的に検出すること。【解決手段】禁止部は、前記制御部からの前記通信線に接続された照明器具の接続順を検出するモードに移行する指示を受信すると、前記接続順が後である照明器具に対する通信を禁止する。第２の送信部は、前記検出するモードに移行後に前記制御部からのＩＤ情報を送信する指示を受信した場合に、自身のＩＤ情報を前記制御部に送信する。送信後処理部は、前記第２の送信部により前記自身のＩＤ情報が前記制御部に送信された後、前記ＩＤ情報を送信する指示を再び受信しても前記自身のＩＤ情報の前記制御部への送信を禁止するとともに、前記禁止部により禁止された前記接続順が後である照明器具に対する通信を許可する。【選択図】図８
2015185451.tif 000002
【特許請求の範囲】
【請求項１】
自身が接続している通信線において接続順が後である照明器具に対する通信が許可されている場合に、外部の制御部からの指示を受信すると、受信した指示を前記接続順が自身よりも後である照明器具に対して送信する第１の送信部と、
前記制御部からの前記通信線に接続された照明器具の接続順を検出するモードに移行する指示を受信すると、前記接続順が後である照明器具に対する通信を禁止する禁止部と；
前記検出するモードに移行後に前記制御部からのＩＤ情報を送信する指示を受信した場合に、自身のＩＤ情報を前記制御部に送信する第２の送信部と；
前記第２の送信部により前記自身のＩＤ情報が前記制御部に送信された後、前記ＩＤ情報を送信する指示を再び受信しても前記自身のＩＤ情報の前記制御部への送信を禁止するとともに、前記禁止部により禁止された前記接続順が後である照明器具に対する通信を許可する送信後処理部と；
を具備することを特徴とする照明器具。
【請求項２】
前記送信後処理部は、前記制御部から所定の指示を受信した場合に、前記ＩＤ情報を送信する指示を再び受信しても前記自身のＩＤ情報の前記制御部への送信を禁止するとともに、前記禁止部により禁止された前記接続順が後である照明器具に対する通信を許可することを特徴とする請求項１に記載の照明器具。
【請求項３】
通信線に直列に接続された複数の照明器具と、外部の制御部とを具備する照明制御システムにおいて、
前記制御部は、
前記通信線に直列に接続された複数の照明器具の接続順を検出するモードに移行する移行指示を前記複数の照明器具に送信する第１の送信部と；
前記第１の送信部により前記移行指示が前記複数の照明器具に送信された後、前記複数の照明器具のうちのいずれの照明器具からもＩＤ情報の送信が行われなくなるまで、ＩＤ情報を送信する送信指示を繰り返し前記複数の照明器具のうちのいずれかの照明器具に送信する第２の送信部と；
前記照明器具から送信されたＩＤ情報を受信するたびに、受信したＩＤ情報と接続順とを対応付けて記憶部に登録する登録部と；
を具備し、
前記複数の照明器具のそれぞれは、
前記通信線において接続順が自身よりも後である照明器具に対する通信が許可されている場合に、前記制御部からの指示を受信すると、受信した指示を前記接続順が自身よりも後である照明器具に対して送信する第３の送信部と、
前記移行指示を受信すると、前記接続順が後である照明器具に対する通信を禁止する禁止部と；
前記検出するモードに移行後に前記送信指示を受信した場合に、自身のＩＤ情報を前記制御部に送信する第４の送信部と；
前記第４の送信部により前記自身のＩＤ情報が前記制御部に送信された後、前記ＩＤ情報を送信する指示を再び受信しても前記自身のＩＤ情報の前記制御部への送信を禁止するとともに、前記禁止部により禁止された前記接続順が後である照明器具に対する通信を許可する送信後処理部と；
を具備することを特徴とする照明制御システム。
【請求項４】
前記制御部は、
前記複数の照明器具のそれぞれに、ＤＭＸアドレスを送信する指示を送信する第５の送信部を更に具備し、
前記登録部は、前記照明器具ごとに、前記記憶部に記憶された前記ＩＤ情報及び前記接続順に対応付けて、該照明器具から送信されたＤＭＸアドレスを前記記憶部に登録する
ことを特徴とする請求項３に記載の照明制御システム。
【発明の詳細な説明】
【技術分野】
【０００１】
本発明の実施形態は、照明器具及び照明制御システムに関する。
【背景技術】
【０００２】
舞台やスタジオなどで使用される照明器具と、照明器具の調光などを行って照明器具を制御する調光操作卓とを有する照明制御システムがある。例えば、照明制御システムは、更に、伝送装置（通信制御装置）を有する。そして、照明制御システムでは、調光操作卓と伝送装置とが接続されている。また、照明制御システムでは、伝送装置が、複数の通信線を有し、各通信線には、複数の照明器具が接続されている。
【０００３】
照明制御システムにおいて、通信線に、伝送装置から近い方から順に、どのような照明器具が接続されているかについては、人が直接目視したりして、人手で行っている。そのため、自動的に、通信線に、伝送装置から近い方から順に、どのような照明器具が接続されているかを検出することが望まれる。
【先行技術文献】
【非特許文献】
【０００４】
【非特許文献１】“luminex products”、［online］、［平成２６年３月１４日検索］、インターネット＜http://www.luminex.be/products_overview.php?cat=1  ＞
【発明の概要】
【発明が解決しようとする課題】
【０００５】
本発明が解決しようとする課題は、通信線に、どのような順番でどのような照明器具が接続されているかを自動的に検出することができる照明器具及び照明制御システムを提供することを目的とする。
【課題を解決するための手段】
【０００６】
実施形態の照明器具は、第１の送信部と、禁止部と、第２の送信部と、送信後処理部と、を具備する。第１の送信部は、自身が接続している通信線において接続順が後である照明器具に対する通信が許可されている場合に、外部の制御部からの指示を受信すると、受信した指示を接続順が自身よりも後である照明器具に対して送信する。禁止部は、前記制御部からの前記通信線に接続された照明器具の接続順を検出するモードに移行する指示を受信すると、前記接続順が後である照明器具に対する通信を禁止する。第２の送信部は、前記検出するモードに移行後に前記制御部からのＩＤ情報を送信する指示を受信した場合に、自身のＩＤ情報を前記制御部に送信する。送信後処理部は、前記第２の送信部により前記自身のＩＤ情報が前記制御部に送信された後、前記ＩＤ情報を送信する指示を再び受信しても前記自身のＩＤ情報の前記制御部への送信を禁止するとともに、前記禁止部により禁止された前記接続順が後である照明器具に対する通信を許可する。
【発明の効果】
【０００７】
実施形態の照明器具によれば、通信線に、どのような順番でどのような照明器具が接続されているかを自動的に検出することができるという効果が期待できる。
【図面の簡単な説明】
【０００８】
【図１】図１は、実施形態に係る照明制御システムの構成例を示す図である。
【図２】図２は、調光操作卓の機能構成の一例を示す図である。
【図３】図３は、接続順登録用テーブルのデータ構造の一例を示す図である。
【図４】図４は、接続順登録用テーブルの登録内容の一例を示す図である。
【図５】図５は、接続順登録用テーブルの登録内容の一例を示す図である。
【図６】図６は、レイアウトの一例を示す図である。
【図７】図７は、照明器具の機能構成の一例を示す図である。
【図８】図８は、制御部の機能構成の一例を示す図である。
【図９】図９は、実施形態に係る調光操作卓が実行する接続順検出処理の手順を示すフローチャートである。
【発明を実施するための形態】
【０００９】
以下、図面を参照して、実施形態に係る照明制御システム１および照明器具５を説明する。実施形態において同一の部位には同一の符号を付し、重複する説明は省略される。
【００１０】
（実施形態）
まず、図１〜図９を用いて、実施形態に係る照明制御システムおよび照明器具５について説明する。
【００１１】
［照明制御システム１の構成］
図１は、実施形態に係る照明制御システムの構成例を示す図である。図１に示した照明制御システム１は、舞台やスタジオ等に設置された照明器具の制御や監視を実現するシステムである。
【００１２】
図１に示した照明制御システム１は、調光操作卓２０と、伝送装置（通信制御装置）３０ａ，３０ｂと、照明器具１０ａ〜１０ｈとを有する。調光操作卓２０と伝送装置３０ａとはイーサネットで接続されている。イーサネット以外にも、伝送装置３０ａは２本の通信線に接続されている。２本の通信線のうち一方の通信線には、照明器具１０ａ〜１０ｃが直列に接続されている。また、他方の通信線には、照明器具１０ｄ，１０ｅが直列に接続されている。
【００１３】
また、調光操作卓２０と伝送装置３０ｂとはイーサネットで接続されている。イーサネット以外にも、伝送装置３０ｂは、一本の信号線に接続されている。この一本の信号線には、照明器具１０ｆ〜１０ｈが接続されている。
【００１４】
伝送装置３０ａと、照明器具１０ａ〜１０ｅとは、Ｒｓ−４８５通信（ＤＭＸ／ＲＤＭ通信）で接続されている。同様に、伝送装置３０ｂと、照明器具１０ｆ〜１０ｈとは、Ｒｓ−４８５通信で接続されている。このため、一本の通信線には、最大３２台の照明器具が接続可能である。また、伝送装置３０ａ，３０ｂは、自身に接続されている通信線を判別できる。以下、伝送装置３０ａ，３０ｂを区別することなく説明する場合には、伝送装置３０と表記する場合がある。また、照明器具１０ａ〜１０ｈを区別することなく説明する場合には、照明器具１０と表記する場合がある。伝送装置３０は、調光操作卓２０からのデータを中継して照明器具１０に伝送したり、照明器具１０からのデータを中継して調光操作卓２０に伝送したりする。
【００１５】
調光操作卓２０は、ＤＭＸ信号を伝送装置３０を介して照明器具１０に出力する。これにより、調光操作卓２０は、照明器具１０の調光を行う。このように、調光操作卓２０は、照明器具１０の外部から照明器具１０を制御する。調光操作卓２０は、照明器具１０を制御する外部の制御部の一例である。また、調光操作卓２０は、ＲＤＭ信号を伝送装置３０を介して照明器具１０に出力する。これにより、調光操作卓２０は、照明器具１０の状態を監視する。
【００１６】
さらに、本実施形態に係る調光操作卓２０は、通信線に、どのような順番でどのような照明器具が接続されているかを自動的に検出することができる。以下、調光操作卓２０が実行する処理について説明する。図２は、調光操作卓２０の機能構成の一例を示す図である。図２の例に示すように、調光操作卓２０は、操作受付部２１と、表示部２２と、通信部２３と、記憶部２４と、制御部２５とを有する。
【００１７】
操作受付部２１は、ユーザの操作を受け付ける。例えば、操作受付部２１は、後述の接続順検出処理を実行するための指示をユーザから受け付ける。そして、操作受付部２１は、受け付けた指示を制御部２４へ入力する。操作受付部２１のデバイスとしては、マウスやキーボードなどのユーザの操作を受け付ける操作受付装置が挙げられる。
【００１８】
表示部２２は、各種の画像を表示する。表示部２２のデバイスとしては、ＬＣＤなどのディスプレイが挙げられる。
【００１９】
通信部２３は、調光操作卓２０と、伝送装置３０及び照明器具１０との通信を行うためのものである。通信部２３は、制御部２５によって、あるデータを伝送装置３０または照明器具１０に送信するように制御された場合には、あるデータを伝送装置３０または照明器具１０に送信する。また、通信部２３は、伝送装置３０または照明器具１０から送信されたあるデータを受信した場合には、受信したあるデータを制御部２５に入力する。例えば、通信部２３は、ネットワークインタフェースカードである。
【００２０】
記憶部２４は、接続順登録用テーブル２４ａを記憶する。記憶部２４のデバイスとしては、ＨＤＤ（Hard  Disk  Drive）などの記憶装置が挙げられる。
【００２１】
接続順登録用テーブル２４ａは、後述の接続順検出処理において、照明器具１０が接続されている通信線のＩＤ（通信線ＩＤ）と、通信線における照明器具１０の接続順と、照明器具１０のＩＤ情報と、照明器具１０に設定されたＤＭＸアドレスとが対応付けられて登録される。なお、ここでいう接続順とは、例えば、通信線に接続された照明器具１０の伝送装置３０側からの順番を指す。
【００２２】
図３は、接続順登録用テーブル２４ａのデータ構造の一例を示す図である。図３の例に示す接続順登録用テーブル２４ａは、「通信線ＩＤ」、「接続順」、「ＩＤ情報」及び「ＤＭＸアドレス」の各項目を有する。これらの項目のうち、「ＩＤ情報」には、照明器具１０のＩＤ情報が登録される。また、「通信線ＩＤ」の項目には、「ＩＤ情報」の項目に登録されたＩＤ情報が示す照明器具１０に接続されている通信線のＩＤが登録される。また、「接続順」の項目には、「ＩＤ情報」の項目に登録されたＩＤ情報が示す照明器具１０の接続順が登録される。
【００２３】
図２の説明に戻り、制御部２５は、第１の送信制御部２５ａと、第２の送信制御部２５ｂと、登録部２５ｃと、第３の送信制御部２５ｄとを有する。
【００２４】
第１の送信制御部２５ａは、操作受付部２１から接続順検出処理を実行する指示が入力された場合に、複数の通信線の中から未選択の通信線を１つ選択する。そして、第１の送信制御部は、選択した通信線に直列に接続された複数の照明器具１０の接続順を検出するモードに移行する移行指示を、選択した通信線に直列に接続された複数の照明器具１０に送信するように通信部２３を制御する。これにより、通信部２３から、移行指示が、複数の照明器具１０に送信される。すなわち、第１の送信制御部２５ａと通信部２３との機能を合わせると、移行指示を複数の照明器具１０に送信する第１の送信部となるといえる。例えば、図１の例に示す照明制御システム１では、照明器具１０ａ〜１０ｃが直列に接続された通信線（以下、通信線Ａ）と、照明器具１０ｄ，１０ｅが直列に接続された通信線（以下、通信線Ｂ）と、照明器具１０ｆ〜１０ｈが直列に接続された通信線（以下、通信線Ｃ）との３つの通信線がある。この場合に、第１の送信制御部２５ａは、３つの通信線の中から未選択の通信線を１つずつ選択するたびに、選択した通信線に直列に接続された複数の照明器具１０に移行指示を送信するように通信部２３を制御する。
【００２５】
第２の送信制御部２５ｂは、移行指示が複数の照明器具１０に送信された後、選択された通信線に接続された複数の照明器具１０のうちのいずれの照明器具１０からもＩＤ情報の送信が行われなくなるまで、次の処理を行う。すなわち、第２の送信制御部２５ｂは、ＩＤ情報を送信する送信指示を選択された通信線に繰り返し流すように通信部２３を制御する。これにより、第２の送信制御部２５ｂは、ＩＤ情報を送信する送信指示を繰り返し複数の照明器具１０のうちのいずれかの照明器具１０に送信するように通信部２３を制御することができる。この結果、通信部２３から、いずれの照明器具１０からもＩＤ情報の送信が行われなくなるまで、ＩＤ情報を送信する送信指示が、繰り返し複数の照明器具１０のうちのいずれかの照明器具１０に送信される。すなわち、第２の送信制御部２５ｂと通信部２３との機能を合わせると、送信指示を照明器具１０に送信する第２の送信部となるといえる。
【００２６】
第２の送信制御部２５ｂが上述したような処理を行うことにより、接続順が小さい照明器具１０から順に調光操作卓２０にＩＤ情報を送信することとなる。すなわち、選択された通信線にＮ台の照明器具１０が接続されていた場合には、まず、始めに、接続順が「１」の照明器具１０がＩＤ情報を調光操作卓２０に送信し、その次に、接続順が「２」の照明器具１０がＩＤ情報を調光操作卓２０に送信し、その後も、接続順と同一の順番で照明器具１０がＩＤ情報を送信し、最後に、接続順が「Ｎ」の照明器具１０がＩＤ情報を調光操作卓２０に送信することとなる。
【００２７】
ここで、第２の送信制御部２５ｂは、照明器具１０から送信されたＩＤ情報を通信部２３が受信するたびに、受信したＩＤ情報が示す照明器具１０に対して、次のような指示を送信するように、通信部２３を制御する。すなわち、かかる指示は、受信したＩＤ情報が示す照明器具１０に対して、ＩＤ情報を送信する送信指示を再び受信しても自身のＩＤ情報の調光操作卓２０への送信を禁止するとともに、禁止部５ｂにより禁止された接続順が１つ後ろである照明器具に対する通信を許可する指示である。この指示を受けた照明器具１０は、指示に従って、ＩＤ情報を送信する送信指示を再び受信しても自身のＩＤ情報の調光操作卓２０への送信を禁止するとともに、禁止部５ｂにより禁止された接続順が１つ後ろである照明器具に対する通信を許可する。
【００２８】
登録部２５ｃは、照明器具１０から送信されたＩＤ情報を通信部２３が受信するたびに、通信部２３が受信したＩＤ情報と接続順とを対応付けて記憶部２４に記憶された接続順登録用テーブル２４ａに登録する。なお、接続順は、未選択の通信線が選択されてから、ＩＤ情報を受信した回数と同一であるので、登録部２５ｃは、未選択の通信線が選択されてからＩＤ情報を受信した回数を計数することで、接続順を求めることができる。そして、登録部２５ｃは、このようにして求めた接続順と、受信したＩＤ情報とを対応付けて接続順登録用テーブル２４ａに登録する。例えば、通信線Ａが選択されて、登録部２５ｃにより照明器具１０ａ〜１０ｃの全てのＩＤ情報と接続順とが登録された場合には、接続順登録用テーブル２４ａの登録内容は、図４の例に示すような登録内容となる。なお、図４の例において、通信線Ａの通信線ＩＤは、「Ａ」である。また、図４の例において、ＩＤ情報「ａ」が示す照明器具は、照明器具１０ａであり、ＩＤ情報「ｂ」が示す照明器具は、照明器具１０ｂであり、ＩＤ情報「ｃ」が示す照明器具は、照明器具１０ｃである。
【００２９】
第３の送信制御部２５ｄは、選択された通信線に接続された全ての照明器具１０について、登録部２５ｃによりＩＤ情報と接続順とが対応付けられて接続順登録用テーブル２４ａに登録された場合には、次の処理を行う。すなわち、第３の送信制御部２５ｄは、接続順登録用テーブル２４ａを参照し、接続順に、各照明器具１０に対して、ＤＭＸアドレスを送信する指示を送信するように通信部２３を制御する。これにより、通信部２３から、ＤＭＸアドレスを送信する指示が、接続順に、各照明器具１０に送信される。すると、各照明器具１０からＤＭＸアドレスが調光操作卓２０に送信される。このとき、上述の登録部２５ｃは、照明器具１０ごとに、接続順登録用テーブル２４ａに既に登録されたＩＤ情報及び接続順に対応付けて、照明器具１０から送信されたＤＭＸアドレスを接続順登録用テーブル２４ａに登録する。この結果、例えば、通信線Ａが選択された場合には、接続順登録用テーブル２４ａの登録内容は、図５の例に示すような登録内容となる。なお、図５の例において、照明器具１０ａのＤＭＸアドレスは、「ａａａ」である。また、図５の例において、照明器具１０ｂのＤＭＸアドレスは、「ｂｂｂ」である。図５の例において、照明器具１０ｃのＤＭＸアドレスは、「ｃｃｃ」である。
【００３０】
そして、上述した第１の送信制御部２５ａが、未選択の通信線を１つ選択するたびに、第１の送信制御部２５ａ、第２の送信制御部２５ｂ、登録部２５ｃ及び第３の送信制御部２５ｄが上述した処理を行う。この結果、全ての通信線に接続された照明器具１０のそれぞれについて、接続順やＤＭＸアドレス、どの通信線に接続されているのかなどの情報が、接続順登録用テーブル２４ａに登録されることとなる。したがって、本実施形態によれば、通信線に、どのような順番でどのような照明器具が接続されているかを自動的に検出することができる。
【００３１】
また、調光操作卓２０は、接続順登録用テーブル２４ａの登録内容を参照して、既知の通信線のレイアウトなどから、図６に示すような照明器具１０の位置関係を示すレイアウト７０を生成することもできる。
【００３２】
次に、照明器具１０の機能構成の一例について説明する。図７は、照明器具１０の機能構成の一例を示す図である。図７の例に示すように、照明器具１０は、制御部５と、入出力ポート６ａ，６ｂと、電源制御部７と、ＬＥＤ８とを有する。ＬＥＤ８は、任意の場所を照明する。電源制御部７は、ＬＥＤ８を制御する。入出力ポート６ａは、照明器具１０の接続順が「１」である場合には、伝送装置３０に接続され、伝送装置３０との通信を行うことができる。また、照明器具１０の接続順が「２」以上の「Ｐ」（Ｐは整数）である場合には、入出力ポート６ａは、接続順が「Ｐ−１」の照明器具１０の入出力ポート６ｂと接続される。入出力ポート６ｂは、照明器具１０の接続順が、接続されている通信線の中で一番大きい値（一番後ろ）である場合には、何も接続されない。ここで一番大きい値をＫとすると、照明器具１０の接続順が「Ｋ−１」以下である場合（例えば、「Ｑ」）には、入出力ポート６ｂは、接続順が「Ｑ＋１」の照明器具１０の入出力ポート６ａと接続される。
【００３３】
制御部５は、照明器具１０全体の動作を制御する。制御部５の機能構成の一例について説明する。図８は、制御部５の機能構成の一例を示す図である。図８の例に示すように、制御部５は、ポート制御部５ａと、禁止部５ｂと、ＩＤ情報送信制御部５ｃと、送信後処理部５ｄと、ＤＭＸアドレス送信制御部５Ｅとを有する。
【００３４】
ポート制御部５ａは、照明器具１０が接続している通信線において接続順が後である照明器具に対する通信が許可されている場合に、調光操作卓２０からの指示を受信すると、受信した指示を接続順が自身よりも後である照明器具に対して送信するように、入出力ポート６ｂを制御する。例えば、ポート制御部５ａは、ＩＤ情報を送信する送信指示やＤＭＸアドレスを送信する指示などを調光操作卓２０から受信した場合に、入出力ポート６ｂに対して、接続順が１つ後ろの照明器具に対する通信が許可されているか否かを判定する。そして、ポート制御部５ａは、許可されていると判定した場合のみ、調光操作卓２０からの指示を接続順が照明器具１０よりも１つ後ろの照明器具に対して送信するように、入出力ポート６ｂを制御する。
【００３５】
禁止部５ｂは、調光操作卓２０から送信された通信線に接続された照明器具１０の接続順を検出するモードに移行する移行指示を受信すると、接続順が後である照明器具に対する通信を禁止する。例えば、禁止部５ｂは、かかる移行指示を受信すると、入出力ポート６ｂに対して、接続順が１つ後ろの照明器具に対する通信を禁止する。なお、禁止部５ｂは、上述のモードに移行する移行指示を受信後、所定時間（例えば５分）、ＩＤ情報を送信する送信指示を受信しない場合には、入出力ポート６ｂに対して、接続順が１つ後ろの照明器具に対する通信を許可する。これにより、入出力ポート６ｂに対して、接続順が１つ後ろの照明器具に対する通信を禁止した状態が長時間継続することによる弊害（例えば、通常の制御、調光信号制御が出来なくなること）の発生を抑制することができる。
【００３６】
ＩＤ情報送信制御部５ｃは、上述のモードに移行後に調光操作卓２０から送信されたＩＤ情報を送信する送信指示を受信した場合に、照明器具１０のＩＤ情報を調光操作卓２０に送信するように入出力ポート６ａを制御する。これにより、入出力ポート６ａから、ＩＤ情報が調光操作卓２０に送信される。このとき、入出力ポート６ｂに対して、接続順が１つ後ろの照明器具に対する通信が禁止されているため、入出力ポート６ｂから送信指示が、接続順が１つ後ろの照明器具に送信されることはない。
【００３７】
送信後処理部５ｄは、自身のＩＤ情報が調光操作卓２０に送信された後、ＩＤ情報を送信する指示を再び受信しても前記自身のＩＤ情報の前記調光操作卓への送信を禁止するとともに、前記禁止部により禁止された前記接続順が後である照明器具に対する通信を許可する。
【００３８】
例えば、送信後処理部５ｄは、調光操作卓２０からの指示を受けて、ＩＤ情報を送信する送信指示を再び受信しても自身のＩＤ情報の調光操作卓２０への送信を禁止するとともに、禁止部５ｂにより禁止された接続順が１つ後ろである照明器具に対する通信を許可する。なお、送信後処理部５ｄは、調光操作卓２０からの指示を受けずとも、自身のＩＤ情報が調光操作卓２０に送信された後、自発的に、ＩＤ情報を送信する送信指示を再び受信しても自身のＩＤ情報の調光操作卓２０への送信を禁止するとともに、禁止部５ｂにより禁止された接続順が１つ後ろである照明器具に対する通信を許可することもできる。
【００３９】
ＤＭＸアドレス送信制御部５Ｅは、調光操作卓２０から送信されたＤＭＸアドレスを送信する指示を受信した場合に、照明器具１０に設定されたＤＭＸアドレスを調光操作卓２０に送信するように入出力ポート６ａを制御する。これにより、ＤＭＸアドレスが調光操作卓２０に送信される。
【００４０】
照明器具１０は、以上のような構成により、調光操作卓２０に対して、接続順に、ＩＤ情報を送信することとなる。
【００４１】
［照明器具１０による処理の手順］
次に、図９を用いて、実施形態に係る調光操作卓２０が実行する接続順検出処理の流れについて説明する。図９は、実施形態に係る調光操作卓２０が実行する接続順検出処理の手順を示すフローチャートである。接続順検出処理は、例えば、操作受付部２１から接続順検出処理を実施する指示が入力された場合に、制御部２５により実行される。
【００４２】
図９に示すように、第１の送信制御部２５ａは、複数の照明器具１０の接続順を検出するモードに移行する移行指示を、複数の照明器具１０に送信するように通信部２３を制御する（ステップＳ１０１）。
【００４３】
第２の送信制御部２５ｂは、複数の照明器具１０のうちのいずれの照明器具１０からもＩＤ情報の送信が行われなくなるまで、次の処理を行う。すなわち、第２の送信制御部２５ｂは、ＩＤ情報を送信する送信指示を通信線に繰り返し流すように通信部２３を制御する（ステップＳ１０２）。また、ステップＳ１０２では、第２の送信制御部２５ｂは、受信したＩＤ情報が示す照明器具１０に対して、受信したＩＤ情報が示す照明器具１０に対して、ＩＤ情報を送信する送信指示を再び受信しても自身のＩＤ情報の調光操作卓２０への送信を禁止するとともに、禁止部５ｂにより禁止された接続順が１つ後ろである照明器具に対する通信を許可する指示を送信するように、通信部２３を制御する。
【００４４】
登録部２５ｃは、通信部２３が受信したＩＤ情報と接続順とを対応付けて記憶部２４に記憶された接続順登録用テーブル２４ａに登録する（ステップＳ１０３）。
【００４５】
第３の送信制御部２５ｄは、接続順登録用テーブル２４ａを参照し、接続順に、各照明器具１０に対して、ＤＭＸアドレスを送信する指示を送信するように通信部２３を制御する（ステップＳ１０４）。そして、登録部２５ｃは、照明器具１０ごとに、接続順登録用テーブル２４ａに既に登録されたＩＤ情報及び接続順に対応付けて、照明器具１０から送信されたＤＭＸアドレスを接続順登録用テーブル２４ａに登録し（ステップＳ１０５）、処理を終了する。
【００４６】
［実施形態の効果］
上述したように、実施形態の照明器具１０は、自身が接続している通信線において接続順が後である照明器具に対する通信が許可されている場合に、調光操作卓２０からの指示を受信すると、受信した指示を接続順が自身よりも後である照明器具に対して送信する。照明器具１０は、調光操作卓２０から送信された通信線に接続された照明器具の接続順を検出するモードに移行する指示を受信すると、接続順が後である照明器具に対する通信を禁止する。照明器具１０は、上述の照明器具の接続順を検出するモードに移行後に調光操作卓２０からのＩＤ情報を送信する指示を受信した場合に、自身のＩＤ情報を調光操作卓２０に送信する。照明器具１０は、自身のＩＤ情報が調光操作卓２０に送信された後、ＩＤ情報を送信する指示を再び受信しても自身のＩＤ情報の調光操作卓２０への送信を禁止するとともに、禁止された接続順が後である照明器具に対する通信を許可する。これにより、接続順に、ＩＤ情報を調光操作卓２０に送信するので、通信線に、どのような順番でどのような照明器具が接続されているかを自動的に検出可能となる。
【００４７】
以上、本発明を実施の形態を用いて説明したが、本発明の技術的範囲は上記実施の形態に記載の範囲には限定されない。上記実施の形態に多様な変更または改良を加えることが可能であることが当業者には明らかである。また、そのような変更または改良を加えた形態も本発明の技術的範囲に含まれ得ることが、特許請求の範囲の記載から明らかである。
【符号の説明】
【００４８】
１０      照明器具
５        制御部
６ａ、６ｂ  入出力ポート
２０      調光操作卓
３０      伝送装置
２５ａ    第１の送信制御部
２５ｂ    第２の送信制御部
２５ｃ    登録部
２５ｄ    第３の送信制御部
【図１】
2015185451.tif 000003
【図２】
2015185451.tif 000004
【図３】
2015185451.tif 000005
【図４】
2015185451.tif 000006
【図５】
2015185451.tif 000007
【図６】
2015185451.tif 000008
【図７】
2015185451.tif 000009
【図８】
2015185451.tif 000010
【図９】
2015185451.tif 000011